(57)【要約】【課題】複雑であり費用を増加させる従来の動作プロセスの問題を改善することができる電気コネクタ及びモータを提供する。【解決手段】モータとケーブルコネクタとを接続するための電気コネクタは、電気的絶縁性の本体と、複数の電気端子とを含む。本体は、前側部と、対応するケーブルコネクタに係合するように構成された後側部とを含む。本体の前側部は取付部分を含み、取付部分は、座部に安定して取り付けるように構成され、その結果電気端子は、対応するモータ端子との安定した接続状態に置くことができる。【選択図】図４
2018063939.tif 000002
【特許請求の範囲】
【請求項１】
モータとケーブルコネクタとを接続するための電気コネクタであって、前記モータは、複数のモータ端子が固定された座部を備え、該電気コネクタは、
前側部と、対応するケーブルコネクタに係合するように構成された後側部とを備える電気的絶縁性の本体と、
前記本体によって固定された複数の電気端子であって、各々は、前記前側部から突出して対応するモータ端子につながる前端と、前記ケーブルコネクタの対応する端部につながる後端とを備える複数の電気端子とを備え、
前記本体の前記前側部は、前記座部に安定して取り付けるように構成された取付部分を備え、その結果前記電気端子の前記前端は、対応するモータ端子との安定した接続状態に置くことができる、ことを特徴とする電気コネクタ。
【請求項２】
前記本体の前記後側部は、前記電気端子の前記後端が位置するソケットであり、前記ケーブルコネクタはプラグである、請求項１に記載の電気コネクタ。
【請求項３】
複数のモータ端子が固定された座部を備えるモータであって、該モータとケーブルコネクタとを接続するための電気コネクタをさらに備える該モータにおいて、前記電気コネクタは、
前側部と、対応するケーブルコネクタに係合するように構成された後側部とを備える電気的絶縁性の本体と、
前記本体によって固定された複数の電気端子であって、各々は、前記前側部から突出して対応するモータ端子につながる前端と、前記ケーブルコネクタの対応する端部につながる後端とを備える複数の電気端子とを備え、
前記電気コネクタは前記座部に安定して取り付け、その結果前記電気端子の前記前端は、前記モータ端子との安定した接続状態に置かれる、ことを特徴とするモータ。
【請求項４】
各前記電気端子の前記前端は、溶接することなく前記モータ端子と直接接触する、請求項３に記載のモータ。
【請求項５】
前記本体の前記後側部は、前記電気端子の前記後端が位置するソケットであり、前記ケーブルコネクタはプラグである、請求項３に記載のモータ。
【請求項６】
前記本体の前記後側部における前記後端の遠位端は相互に整列する、請求項３に記載のモータ。
【請求項７】
前記本体は取付部分をさらに備え、前記座部は対応する保持部分を備え、前記取付部分は前記保持部分に取り付ける、請求項３に記載のモータ。
【請求項８】
前記本体は取付部分をさらに備え、前記取付部分は、実質的に板形状とされてその２つの向かい側の側部に２つの長手方向溝を備え、前記座部は、２つの対応するガイドレールと、それらの間の開口部とを有し、前記取付部分は、前記座部に長手方向に沿って摺動可能な様式で取り付ける、請求項３に記載のモータ。
【請求項９】
各前記電気端子の前端は、前記モータ端子に溶接することなく安定して置かれる、請求項８に記載のモータ。
【請求項１０】
前記電気コネクタを取り付けた前記座部は絶縁樹脂が注入される、請求項３に記載のモータ。
【発明の詳細な説明】
【技術分野】
【０００１】
[0002]  この本発明は、電気コネクタ、及びこれを有するモータ、特にブラシレスモータに関する。
【背景技術】
【０００２】
[0003]  ブラシレスモータは、多くの技術分野で、具体的には動力車のファンユニットで広く使用され、羽根を駆動する。ブラシレスモータは、一般には、モータ本体と、モータ本体から外方に延びる座部とを含む。座部には、電源信号及び／又は制御信号を受け取るために複数のモータ端子が固定され、従ってモータを駆動し及び／又はモータの回転速度、回転方向、回転角度などのような回転パラメーターを制御する。ブラシレスモータは、複数本の電線をさらに含み、各々の電線は、対応するモータ端子と整列された後これに溶接され、上記電源信号及び／又は上記制御信号を供給する必要がある。
【０００３】
[0004]  しかしながら、上記動作プロセスは、複雑であり、従ってモータの費用を増加させる。
【発明の概要】
【発明が解決しようとする課題】
【０００４】
[0005]  従って、この問題を改善することができる電気コネクタ及びモータに対する要望がある。
【課題を解決するための手段】
【０００５】
[0006]  従って、本発明は、１つの態様において、モータとケーブルコネクタとを接続するための電気コネクタを提供する。モータは、複数のモータ端子が固定された座部を備える。電気コネクタは、電気的絶縁性の本体と、本体によって固定された複数の電気端子とを備え、本体は、前側部と、対応するケーブルコネクタに係合するように構成された後側部とを備える。各々の電気端子は、前側部から突出して対応するモータ端子につながる前端と、ケーブルコネクタの対応する端部につながる後端とを備える。本体の前側部は、座部に安定して取り付けるように構成された取付部分を備え、その結果電気端子の前端は、対応するモータ端子との安定した接続状態に置くことができる。
【０００６】
[0007]  各電気端子の前端は、溶接することなくモータ端子に直接接触することが好ましい。
【０００７】
[0008]  本体の後側部は、電気端子の後端が位置するソケットであり、ケーブルコネクタはプラグである。
【０００８】
[0009]  取付部分は、実質的に板形状とされてその２つの向かい側の側部に２つの長手方向溝を備え、座部は、２つの対応するガイドレールと、それらの間の開口部とを有することが好ましい。
【０００９】
[0010]  本体は、成形されたプラスチック材料で作成することが好ましい。
【００１０】
[0011]  本体は保持フレームをさらに備え、保持フレームは、取付部分から水平方向前方に延びてモータに係合するように構成されることが好ましい。
【００１１】
[0012]  ３つ又は４つの電気端子が存在することが好ましい。
【００１２】
[0013]  従って、本発明は、その別の態様において、複数のモータ端子が固定された座部と、モータとケーブルコネクタとを接続するための電気コネクタとを備えるモータを提供する。電気コネクタは、電気的絶縁性の本体と、本体によって固定された複数の電気端子とを備える。本体は、前側部と、対応するケーブルコネクタに係合するように構成された後側部とを備える。各々の電気端子は、前側部から突出して対応するモータ端子につながる前端と、ケーブルコネクタの対応する端部につながる後端とを備える。電気コネクタは、座部に安定して取り付け、その結果電気端子の前端は、モータ端子との安定した接続状態に置かれる。
【００１３】
[0014]  各電気端子の前端は、溶接することなくモータ端子と直接接触することが好ましい。
【００１４】
[0015]  モータはブラシレスモータであることが好ましい。
【００１５】
[0016]  本体の後側部は、電気端子の後端が位置するソケットであり、ケーブルコネクタはプラグであることが好ましい。
【００１６】
[0017]  本体の後側部における後端の遠位端は、相互に整列することが好ましい。
【００１７】
[0018]  本体は取付部分をさらに備え、座部は対応する保持部分を備え、取付部分は、保持部分に取り付けることが好ましい。
【００１８】
[0019]  本開示の実施形態において、モータに電気コネクタを取り付け、電気コネクタは、ケーブルコネクタに係合するように構成された後側部を備え、従ってケーブルコネクタとの簡単な接続を形成する。さらに、電気コネクタは、モータに安定して取り付けることができ、その結果電気端子は、対応するモータ端子との安定した接続状態に置くことができる。
【００１９】
[0020]  以下、本発明の好ましい実施形態が、添付図面の各図を参照して、ほんの一例として説明される。各図において、２つ以上の図に現われる同一の構造、要素又は部品には、それらが現われる全ての図で全般に同じ参照符号が付される。各図に示される構成部品及び機能の寸法は、全般に表現の便宜及び明瞭さのために選ばれ、必ずしも一定の縮尺で示さない。各図を以下に列挙する。
【図面の簡単な説明】
【００２０】
【図１】本開示の第１の実施形態による、ブラシレスモータを備えた動力車における熱交換器用の換気ユニットの斜視図である。
【図２】図１のブラシレスモータの座部と電気コネクタとの間の電気接続の詳細を示す部分的平面図であり、電気コネクタは座部に安定して取り付ける。
【図３】図２のブラシレスモータの座部の拡大斜視図である。
【図４】図２のブラシレスモータの部分的分解図である。
【図５】図４の電気コネクタの前方斜視図である。
【図６】図５の電気コネクタの複数の電気端子を示す図である。
【図７】図４の電気コネクタの別の斜視図である。
【図８】図１のブラシレスモータの斜視図である。
【図９】本開示の第２の実施形態による、代わりのブラシレスのモータの斜視図である。
【図１０】図９のモータの電気コネクタの斜視図である。
【図１１】図１０の電気コネクタの複数の電気端子を示す図である。
【図１２】本開示の第３の実施形態による、代わりのブラシレスモータの斜視図である。
【図１３】図１２のモータの電気コネクタの斜視図である。
【図１４】図１３の電気コネクタの複数の電気端子を示す図である。
【発明を実施するための形態】
【００２１】
[0035]  本発明の実施形態の技術的解決法が、以下のように、添付図面を参照して明確にかつ完全に説明される。以下に説明する実施形態は、本発明の実施形態の全てというよりも、一部に過ぎないことは明らかである。本開示の実施形態に基づき、当業者によって何らの創造的努力なしに得られる他のいかなる実施形態も、本発明の保護範囲内に属する。
【００２２】
[0036]  ある構成部品が別の構成部品に「固定された」と説明するとき、それは別の構成部品に直接固定することができ、又は中間の構成部品があることに注意されたい。ある構成部品が別の構成部品に「接続された」と説明するとき、それは別の構成部品に直接接続することができ、又は中間の構成部品があっても良い。ある構成部品が別の構成部品に「配置された」と説明するとき、それは別の構成部品に直接配置することができ、又は中間の構成部品があっても良い。「垂直方向に」、「水平方向に」、「左側の」、「右側の」又は類似した表現のような方向に関する語法は、例示目的に過ぎない。
【００２３】
[0037]  別段の定めがない限り、全ての技術用語及び科学用語は、当業者によって理解される通常の意味を有する。この開示で用いる用語は、限定というよりもむしろ例示である。この開示で用いる「及び／又は」という用語は、列挙された１つ以上の関連する品目の各々の及び全ての組み合わせが含まれることを意味する。
【００２４】
[0038]  図１から図８を参照して、本発明の第１の実施形態によるモータが例示される。図面において、参照番号１はモータを示す。モータ１は、ブラシレスモータであることが好ましい。モータ１は、動力車（図示しない）のファンユニット１０に取り付け、ファンユニット１０の羽根９を駆動するように構成することが望ましい。
【００２５】
[0039]  モータ１は座部１１を含み、座部は、モータ１のモータ本体（番号を付さない）から外方に延びることができる。図３を参照して、座部１１に複数のモータ端子７が固定され、電源信号及び／又は制御信号を受け取り、従ってモータ１を駆動し及び／又は
モータ１の回転速度、回転方向、回転角度のような回転パラメーターを制御する。本体４２の後側部４６の後端５４の遠位端は、所定方向ｘ−ｘで相互に整列する。第１の実施形態では、モータ端子７は、座部１１の底面と平行な共通の平面に沿って配置されることが好ましい。
【００２６】
[0040]  図８を参照して、モータ１は電気コネクタ４０をさらに含み、電気コネクタは、モータ端子７とケーブルコネクタ４８との間の電気接続を形成するように構成される。ケーブルコネクタ４８は複数の端部を含み、それらは、車両のバッテリ（図示しない）から供給できる電源供給信号及び／又は制御装置（図示しない）から供給できる制御信号を伝達する。
【００２７】
[0041]  電気コネクタ４０は、電気絶縁材製で実質的に剛体の本体４２と、複数の相互に絶縁された電気端子５０とを含む。本体４２は、モータ１の座部１１に取り付けるように構成された前側部４４と、ケーブルコネクタ４８に係合するように構成された後側部４６とを含む。本体４２は、成形されたプラスチック材料から作成することができる。この第１の実施形態では、本体４２は実質的に断面正方形である。３つの互いに電気的に絶縁された電気端子５０が存在する。
【００２８】
[0042]  電気端子５０は本体４２によって固定される。図２に示すように、座部１１に絶縁樹脂２０が注入されて、電気端子５０の前端５２及び座部１１内のモータ端子７を覆うことができ、電気コネクタ４０を座部１１に安定して取り付け、電気端子が絶縁されることをさらに保証する。電気端子５０は複数の電力端子を含む。この第１の実施形態では、電気端子５０は、少なくとも１つの信号端子をさらに含む。各々の電気端子５０は、寸法が信号端子５０よりも大きいことが好ましい。
【００２９】
[0043]  図５及び図６を参照して、各々の電気端子５０は、本体４２から突出して対応するモータ端子７につながる前端５２と、本体４２内に位置してケーブルコネクタ４８の対応する端子につながる後端５４とを含む。
【００３０】
[0044]  実施形態では、ケーブルコネクタ４８はプラグであり、本体４２の後側部はソケットである。代わりの実施形態では、ケーブルコネクタ４８はソケットにすることもでき、本体４２の後側部はプラグである。
【００３１】
[0045]  本体４２は、モータ１の座部１１に安定的に取り付け、その結果電気端子５０の前端５２は、対応するモータ端子７と安定的に接触し、安定した電気接続を形成することができる。
【００３２】
[0046]  モータ１に電気コネクタ４０を取り付け、電気コネクタは、ケーブルコネクタ４８に係合するように構成された後側部４６を有するので、ケーブルコネクタ４８との簡単な接続を形成することが有利である。さらに、電気コネクタ４０は、モータ１に安定的に取り付けることができ、その結果電気端子５０は、対応するモータ端子７に安定して接触することができる。各モータ端子７は整列させる必要がない。
【００３３】
[0047]  一部の実施形態では、各々の前端５２は、直接接触のみによってモータ端子７に接続することができ、モータ端子７に溶接する必要がないので、その接続作業をさらに単純化することができる。
【００３４】
[0048]  第１の実施形態では、本体４２の前側部４４は取付部分５６を含む。取付部分５６は実質的に板形状である。取付部分５６には、その２つの向かい側に２つの長手方向溝５８がそれぞれ形成される。モータ１の座部１１は、対応する溝５８に挿入される２つのガイドレール１８と、それらの間の開口部（番号は付さず）とを有する。取付部分５６は、モータ１の座部１１に長手方向に沿って摺動する様式で安定して取り付ける。前端５２は、モータ端子７に安定して置いて、モータ端子７との安定した電気接続状態に維持される。代わりの実施形態では、本体３は、連動フック又はボルトねじのような他の構成によって座部１１に安定して取り付けることもできる。
【００３５】
[0049]  図９から図１４を参照して、２つの互い違い電気コネクタを備える２つの互い違いのブラシレスモータが例示される。これらの実施形態では、電気コネクタ４０は、２つの電力端子及び２つの信号端子である、４つの電気端子５０を含む。本体４２は実質的に断面円形である。相応して、ブラシレスモータ１は、対応する電気コネクタ４０に接続する対応するモータ端子（図示しない）及び座部を有する。
【００３６】
[0050]  図１３を参照して、電気コネクタ４０は保持フレーム７０をさらに含み、保持フレームは、取付部分の前側部４４から水平方向前方に延びてモータ１に係合するように構成され、従って電気コネクタ４０とモータ１との間の安定した関係をさらに保証する。
【００３７】
[0051]  本出願の明細書及び請求項において、動詞「備える（comprise）」、「含む（include）」、「含む（contain）」及び「有する（have）」、並びにその派生語の各々は、記述した特徴の存在を具体化するために包括的な意味で使用され、追加の品目の存在を排除しない。
【００３８】
[0052]  本発明は１つ以上の好ましい実施形態を参照して説明されるが、当業者であれば、様々の修正が可能であることを認識されたい。従って、本発明の範囲は、以下の請求項を参照することによって決定される。
【符号の説明】
【００３９】
１  モータ
７  モータ端子
１１  座部
１８  ガイドレール
４０  電気コネクタ
４２  本体
４４  前側部
４６  後側部
５０  電気端子
【図１】
2018063939.tif 000003
【図２】
2018063939.tif 000004
【図３】
2018063939.tif 000005
【図４】
2018063939.tif 000006
【図５】
2018063939.tif 000007
【図６】
2018063939.tif 000008
【図７】
2018063939.tif 000009
【図８】
2018063939.tif 000010
【図９】
2018063939.tif 000011
【図１０】
2018063939.tif 000012
【図１１】
2018063939.tif 000013
【図１２】
2018063939.tif 000014
【図１３】
2018063939.tif 000015
【図１４】
2018063939.tif 000016
【外国語明細書】
2018063939000001.pdf